(57)【要約】【課題】スライドショー機能を実行するユーザの嗜好や行動を反映したスライドショー機能を実現する。【解決手段】音楽データに関連付けられた音楽メタデータは、音楽データのリリース年月日に関するメタデータと、音楽データに関連付けられた画像データに関するメタデータとを備え、画像メタデータは、画像データの撮影日付に関するメタデータを備える。メタデータ更新部は、例えば音楽ファイルまたは画像ファイルが情報処理装置に取り込まれる等の操作がされると、音楽メタデータに関連付けられた画像データに関するメタデータを更新し、音楽・画像再生部は、音楽ファイルを再生するとともに、当該音楽メタデータに関連付けられた画像データに関するメタデータに基づいて、当該画像データを再生する。【選択図】図７
2014003388.tif 000002
【特許請求の範囲】
【請求項１】
音楽データと画像データとを関連付けて再生する情報処理装置において、
個々の前記音楽データには音楽メタデータが関連付けられ、
個々の前記画像データには画像メタデータが関連付けられ、
前記音楽メタデータは、前記音楽データに関連する時間に関するメタデータと、前記音楽データに関連付けられた前記画像データに関するメタデータとを備え、
前記画像メタデータは、前記画像データに関連する時間に関するメタデータを備え、
前記音楽ファイルまたは前記画像ファイルが操作されると、前記音楽メタデータに関連付けられた前記画像データに関するメタデータを更新するメタデータ更新部と、
前記音楽ファイルを再生するとともに、当該音楽メタデータに関連付けられた前記画像データに関するメタデータに基づいて、当該画像データを再生する音楽・画像再生部と
を備えることを特徴とする情報処理装置。
【請求項２】
前記メタデータ更新部は、前記音楽メタデータに関連付けられた前記画像データに関するメタデータがない場合は、前記音楽ファイルまたは前記画像ファイルが操作されると、前記音楽メタデータに関連付けられた前記画像データに関するメタデータを作成する
ことを特徴とする請求項１記載の情報処理装置。
【請求項３】
前記音楽データに関連付けられた画像データに関するメタデータは画像データ毎に設定された値であり、
前記メタデータ更新部は、前記音楽ファイルまたは前記画像ファイルが操作されると、前記音楽データに関連付けられた前記画像データ毎に設定された値を更新する
ことを特徴とする請求項１または２記載の情報処理装置。
【請求項４】
前記音楽・画像再生部は、前記音楽ファイルを再生するとともに、前記音楽データに関連付けられた画像データ毎に設定された値に応じて、当該画像データを再生することを特徴とする請求項３記載の情報処理装置。
【請求項５】
前記メタデータ更新部は、前記音楽ファイルまたは前記画像ファイルの操作を区別し、区別された操作毎に、前記音楽データに関連付けられた画像データに関する値の更新の態様を変化させることを特徴とする請求項１ないし４のいずれかに記載の情報処理装置。
【請求項６】
前記音楽データに関連付けられた前記画像データ毎に設定された値には、前記メタデータの更新時期に関する値を備え、
前記メタデータ更新部は、所定タイミング毎にメタデータの更新時期に関する値を参照し、この値により示される更新時期と参照された時期との間に所定期間が経過しているとき、前記更新時期に関する値以外の前記音楽データに関連付けられた画像データ毎の設定値を減少させることを特徴とする請求項４記載の情報処理装置。
【請求項７】
前記音楽データに関連付けられた前記画像データ毎に設定された値には、前記メタデータの更新時期に関する値を備え、
前記メタデータ更新部は、所定タイミング毎にメタデータの更新時期に関する値を参照し、この値により示される更新時期と参照された時期との差分が大きい順に所定個数の、前記更新時期に関する値以外の前記音楽データに関連付けられた画像データ毎の設定値を減少させることを特徴とする請求項４記載の情報処理装置。
【請求項８】
音楽データと画像データとを関連付けて再生するコンピュータに用いられるプログラムであって、
個々の前記音楽データには音楽メタデータが関連付けられ、
個々の前記画像データには画像メタデータが関連付けられ、
前記音楽メタデータは、前記音楽データに関連する時間に関するメタデータと、前記音楽データに関連付けられた前記画像データに関するメタデータとを備え、
前記画像メタデータは、前記画像データに関連する時間に関するメタデータを備え、
前記プログラムは、前記コンピュータに読み込まれて実行されると、このコンピュータに、
前記音楽ファイルまたは前記画像ファイルが操作されると、前記音楽メタデータに関連付けられた前記画像データに関するメタデータを更新させ、
前記音楽ファイルを再生するとともに、当該音楽メタデータに関連付けられた前記画像データに関するメタデータに基づいて、当該画像データを再生させる
ことを特徴とするプログラム。
【発明の詳細な説明】
【技術分野】
【０００１】
本発明は、音楽データを再生する情報処理装置及びプログラムに関し、特に、音楽メタデータが関連付けられた音楽データと画像メタデータが関連付けられた画像データとを関連付けて再生する情報処理装置及びプログラムに関する。
【背景技術】
【０００２】
デジタルカメラ等により撮影された画像データを管理する、パーソナルコンピュータ（Personal Computer、以下適宜ＰＣと称する）やデジタルカメラ上で動作する管理ソフトには、この画像データを一定時間毎に切り替えて表示、再生し、一連のコンテンツとしてＰＣのモニタ、ＰＣまたはデジタルカメラに接続されたテレビジョン（以下、適宜ＴＶと称する）、あるいはデジタルカメラの表示画面等に表示する機能（スライドショー機能と呼ばれる）を有するものがある。
【０００３】
このようなスライドショー機能を有する管理ソフトの中には、スライドショー機能を実行する際に、予め管理ソフト内に用意された、あるいはユーザが別途ＰＣ等に保管してある音楽データを同時に再生し、スライドショー機能の演出効果を高めるものが知られている（特許文献１、特許文献２参照）。特に、特許文献１及び特許文献２に開示された従来技術では、音楽メタデータが関連付けられた音楽データと画像メタデータが関連付けられた画像データとを備え、音楽メタデータと画像メタデータとを用いて画像データまたは音楽データの少なくとも一方を検索し、この検索結果に基づいて音楽データと画像データとを関連付けてスライドショー機能を実現している。
【先行技術文献】
【特許文献】
【０００４】
【特許文献１】特開２００９−１５１９２０号公報
【特許文献２】特開２０１１−１２８６６４号公報
【発明の概要】
【発明が解決しようとする課題】
【０００５】
しかしながら、上述した従来の管理ソフトにおいては、画像データに関連付けられた画像メタデータ及び音楽データに関連付けられた音楽メタデータは、スライドショー機能が実行される際に書き換えまたは更新されることがないので、一度音楽データと画像データとが関連付けられた後は、この関連付けまたは検索条件が同一であれば常に同一の音楽データと画像データとが再生、表示される。従って、従来の管理ソフトでは、ユーザの嗜好なり行動を十分に反映できないスライドショー機能が実現される可能性があった。
【０００６】
本発明は上述した課題に鑑みてなされたもので、その目的は、スライドショー機能を実行するユーザの嗜好や行動を反映したスライドショー機能を実現することの可能な情報管理装置及びプログラムを実現することにある。
【課題を解決するための手段】
【０００７】
本発明は、音楽データと画像データとを関連付けて再生する情報処理装置に適用され、個々の音楽データには音楽メタデータが関連付けられ、個々の画像データには画像メタデータが関連付けられ、音楽メタデータは、音楽データに関連する時間に関するメタデータと、音楽データに関連付けられた画像データに関するメタデータとを備え、画像メタデータは、画像データに関連する時間に関するメタデータを備えている。そして、本発明の情報処理装置は、音楽ファイルまたは画像ファイルが操作されると、音楽メタデータに関連付けられた画像データに関するメタデータを更新するメタデータ更新部と、音楽ファイルを再生するとともに、当該音楽メタデータに関連付けられた画像データに関するメタデータに基づいて、当該画像データを再生する音楽・画像再生部とを備えることを特徴とする。
【０００８】
音楽ファイルまたは画像ファイルが操作されると、メタデータ更新部は、音楽メタデータに関連付けられた画像データに関するメタデータを更新し、音楽・画像再生部は、音楽ファイルを再生するとともに、当該音楽メタデータに関連付けられた画像データに関するメタデータに基づいて、当該画像データを再生する。従って、音楽・画像再生部により再生される音楽データ及び画像データは、音楽ファイルまたは画像ファイルの操作を反映したものとなる。
【０００９】
ここで、メタデータ更新部は、音楽メタデータに関連付けられた画像データに関するメタデータがない場合は、音楽ファイルまたは画像ファイルが操作されると、音楽メタデータに関連付けられた画像データに関するメタデータを作成してもよい。
【００１０】
また、音楽データに関連付けられた画像データに関するメタデータを画像データ毎に設定された値にすることもでき、この場合、メタデータ更新部は、音楽ファイルまたは画像ファイルが操作されると、音楽データに関連付けられた画像データ毎に設定された値を更新してもよい。
【００１１】
そして、音楽・画像再生部は、音楽ファイルを再生するとともに、音楽データに関連付けられた画像データ毎に設定された値に応じて、当該画像データを再生してもよい。
【００１２】
あるいは、メタデータ更新部は、音楽ファイルまたは画像ファイルの操作を区別し、区別された操作毎に、音楽データに関連付けられた画像データに関する値の更新の態様を変化させてもよい。
【００１３】
また、音楽データに関連付けられた画像データ毎に設定された値には、メタデータの更新時期に関する値を備えてもよく、この場合、メタデータ更新部は、所定タイミング毎にメタデータの更新時期に関する値を参照し、この値により示される更新時期と参照された時期との間に所定期間が経過しているとき、更新時期に関する値以外の音楽データに関連付けられた画像データ毎の設定値を減少させてもよい。
【００１４】
あるいは、音楽データに関連付けられた画像データ毎に設定された値には、メタデータの更新時期に関する値を備えてもよく、この場合、メタデータ更新部は、所定タイミング毎にメタデータの更新時期に関する値を参照し、この値により示される更新時期と参照された時期との差分が大きい順に所定個数の、更新時期に関する値以外の音楽データに関連付けられた画像データ毎の設定値を減少させてもよい。
【００１５】
また、本発明は、音楽データと画像データとを関連付けて再生するコンピュータに用いられるプログラムに適用され、個々の音楽データには音楽メタデータが関連付けられ、個々の画像データには画像メタデータが関連付けられ、音楽メタデータは、音楽データに関連する時間に関するメタデータと、音楽データに関連付けられた画像データに関するメタデータとを備え、画像メタデータは、画像データに関連する時間に関するメタデータを備える。そして、本発明のプログラムは、コンピュータに読み込まれて実行されると、このコンピュータに、音楽ファイルまたは画像ファイルが操作されると、音楽メタデータに関連付けられた画像データに関するメタデータを更新させ、音楽ファイルを再生するとともに、当該音楽メタデータに関連付けられた画像データに関するメタデータに基づいて、当該画像データを再生させることを特徴とする。
【発明の効果】
【００１６】
本発明では、音楽ファイルまたは画像ファイルが操作されると、メタデータ更新部は、音楽メタデータに関連付けられた画像データに関するメタデータを更新し、音楽・画像再生部は、音楽ファイルを再生するとともに、当該音楽メタデータに関連付けられた画像データに関するメタデータに基づいて、当該画像データを再生する。従って、音楽・画像再生部により再生される音楽データ及び画像データを、音楽ファイルまたは画像ファイルの操作を反映したものとすることができる。これにより、スライドショー機能を実行するユーザの嗜好や行動を反映したスライドショー機能を実現することが可能となる。
【図面の簡単な説明】
【００１７】
【図１】本発明の第１の実施形態である情報処理装置の概略構成を示すブロック図である。
【図２】第１の実施形態の情報処理装置に用いられる音楽ファイルのデータ構造の一例を示す図である。
【図３】第１の実施形態の情報処理装置に用いられる画像ファイルのデータ構造の一例を示す図である。
【図４】第１の実施形態の情報処理装置に用いられる日付ファイルのデータ構造の一例を示す図である。
【図５】第１の実施形態の情報処理装置の動作のうち、音楽ファイル取り込み動作を説明するためのフローチャートである。
【図６】第１の実施形態の情報処理装置の動作のうち、画像ファイル取り込み動作を説明するためのフローチャートである。
【図７】第１の実施形態の情報処理装置の動作のうち、音楽ファイル手動再生動作を説明するためのフローチャートである。
【図８】第１の実施形態の情報処理装置の動作のうち、音楽ファイル自動再生動作を説明するためのフローチャートである。
【図９】画像ファイルと音楽ファイルの再生の様子を説明するための図である。
【図１０】第２の実施形態の情報処理装置の動作のうち、音楽メタデータ定期更新動作を説明するためのフローチャートである。
【発明を実施するための形態】
【００１８】
以下、図面を参照して、本発明の実施形態である情報処理装置について説明する。
（第１の実施形態）
図１は、本発明の第１の実施形態である情報処理装置の概略構成を示すブロック図である。図１において、情報処理装置１は、ＣＰＵ（Central Processing Unit）２、ＲＯＭ（Read Only Memory）３、ＲＡＭ（Random Access Memory）４、入力部５、ＨＤＭＩ（High-Definition Multimedia Interface）インターフェース（Ｉ／Ｆ）６、ネットワークインターフェース（Ｉ／Ｆ）７及びＨＤＤ（Hard
Disc Drive）等の大容量記憶媒体８を備えており、これらはバスにより互いに接続されている。
【００１９】
ＣＰＵ２は、後述するＲＯＭ３内に格納されたファームウェア等のプログラムが実行されることにより、情報処理装置１全体の制御を行う。ＲＯＭ３には、ファームウェア等のプログラムが格納され、このプログラムが情報処理装置１の起動時に読み出され、ＲＡＭ４において展開された後で実行されることで、ＣＰＵ２による情報処理装置１全体の制御が行われる。
【００２０】
ＲＡＭ４は情報処理装置１のワークメモリとして機能し、ＣＰＵ２を含めた情報処理装置１の動作時に一時的に使用されるプログラム、データ等が格納される。また、このＲＡＭ４には、ユーザにより提供される音楽ファイル１０、画像ファイル１１及び情報処理装置１の動作により作成／更新される日付ファイル１２が格納されている。この音楽ファイル１０及び画像ファイル１１の一部には、それぞれこれら音楽ファイル１０及び画像ファイル１１のそれぞれに関連付けられた音楽メタデータ１０ａ及び画像メタデータ１１ａが設けられている。音楽ファイル１０、画像ファイル１１及び日付ファイル１２のより詳細な構成については後述する。なお、図１においては音楽ファイル１０、画像ファイル１１及び日付ファイル１２はそれぞれ１つずつ図示されているが、本実施例においては少なくとも画像ファイル１１は複数個ＲＡＭ４内に格納されている。そして、音楽ファイル１０及び日付ファイル１２についても１つのみＲＡＭ４内に格納されている構成に限定されない。
【００２１】
入力部５は、入力インターフェース（Ｉ／Ｆ）５ａ、カードインターフェース（Ｉ／Ｆ）５ｂ及びＵＳＢ（Universal Serial Bus）インターフェース（Ｉ／Ｆ）５ｃを備える。入力インターフェース５ａには入力機器１３が接続され、ユーザが入力機器１３を操作することにより入力される入力信号を受信する。入力機器１３としては、例えばリモコン、キーボード、マウス、画像取り込み指示ボタン等が挙げられる。カードインターフェース５ｂはカードスロット（図略）を備え、このカードスロットに挿入されたメモリーカード１４に対してデータの読み出し／書き込みを行う。メモリーカード１４の形式に限定はなく、一例としてmini、microを含むＳＤメモリーカード、メモリースティック（ソニー株式会社の登録商標）が好適に挙げられる。ＵＳＢインターフェース５ｃはＵＳＢコネクタ（図略）を備え、このＵＳＢコネクタに直接、あるいはＵＳＢケーブル（図略）を介して接続されたＵＳＢ機器１５に対してデータの読み出し／書き込みを行う。ＵＳＢ機器１５としては、ＵＳＢフラッシュメモリ、ＵＳＢコネクタを備えたデジタルカメラ等が挙げられる。
【００２２】
ＨＤＭＩインターフェース６はＨＤＭＩコネクタ（図略）を備え、このＨＤＭＩコネクタにＨＤＭＩケーブル（図略）を介して接続されたＨＤＭＩ出力機器１６に対してＡＶストリーム（映像信号及び音声信号）を出力する。ＨＤＭＩ出力機器１６としては、例えばＴＶやモニタ等が挙げられる。ネットワークインターフェース７はネットワークコネクタ（図略）を備え、このネットワークコネクタにネットワークケーブル（図略）を介してルータ１７が接続され、このルータ１７がＷＡＮ（Wide Area Network）１８に接続されることで、外部ネットワークとの間でデータの送受信がされる。このネットワークインターフェース７は、例えばＩＥＥＥ（The Institute of Electrical and Electronics Engineers, Inc.）８０２．３規格に基づく有線通信を行うものである。あるいは、ネットワークインターフェース７は、ＩＥＥＥ８０２．１１規格に基づく無線通信を行うものであってもよく、あるいは、有線／無線通信のいずれも行うものであってもよい。
【００２３】
また、ＣＰＵ２は、情報処理装置１全体の制御を行うと共に、ＲＯＭ３内に格納されたプログラムが実行されることにより、音楽・画像再生部２ａ及びメタデータ更新部２ｂとしても動作する。音楽・画像再生部２ａは、ユーザの指示等により音楽ファイル１０が選択されると、この音楽ファイル１０と、音楽ファイル１０に関連付けられた画像ファイル１１とを再生し、スライドショー機能を実現する。また、メタデータ更新部２ｂは、音楽ファイル１０及び画像ファイル１１がこの情報処理装置１１に取り込まれた際に、所定の条件に従って音楽ファイル１０の音楽メタデータ１０ａを作成／更新し、さらに、関連付けられた音楽ファイル１０及び画像ファイル１１が音楽・画像再生部２ａにより再生されたことをトリガとして、音楽ファイル１０の音楽メタデータ１０ａを更新する。そして、このメタデータ更新部２ｂは、音楽ファイル１０及び画像ファイル１１が取り込まれ、再生された際に、日付ファイル１２を参照してこの日付ファイル１２を作成／更新する。音楽・画像再生部２ａ及びメタデータ更新部２ｂの動作の詳細については後述する。
【００２４】
（音楽ファイル及び画像ファイルのデータ構造）
次に、図２は、本実施形態の情報処理装置１のＲＡＭ４内に格納されている音楽ファイル１０のデータ構造の一例を示す図である。既に説明したように、本実施形態の音楽ファイル１０は音楽メタデータ１０ａを備えている。より詳細には、音楽ファイル１０は音楽データ１０ｂの先頭または末尾（図２に示す例では先頭）に設けられた管理領域に音楽メタデータ１０ａが記述されている。このようなデータ構造を有する音楽ファイル１０は既知であり、例えばｍｐ３（MPEG Audio Layer-3）等において用いられるＩＤ３タグなどがある。特に、ＩＤ３ｖ２においては、ユーザが定義可能なフレームが用意されており、後述する本実施形態に独特な音楽メタデータ１０ａの記述に好適である。
【００２５】
図２において、音楽メタデータ１０ａは、音楽データ１０ｂのタイトルが記述されるタイトル領域１０ｃ、音楽データ１０ｂを演奏したアーティスト名が記述されるアーティスト領域１０ｄ、音楽データ１０ｂのアルバム名が記述されるアルバム領域１０ｅ、音楽データ１０ｂのリリース年月日が記述されるリリース年月日領域１０ｆ、画像ファイル１１に関連付けられた関連度値が記述される関連度値領域１０ｇ、及び、個々の画像ファイルに係る関連度値が更新された日付が記述されるメタデータ更新日領域１０ｈを備える。
【００２６】
ここに、関連度値領域１０ｇには、この音楽ファイル１０に関連付けられた画像ファイル１１毎に関連度値が記述される。同様に、メタデータ更新日領域１０ｈには、この音楽ファイル１０に関連付けられた画像ファイル１１毎に関連度値を更新した日付及び更新の態様が記述される。ここに、更新の態様とは、関連度値が何をトリガとして更新されたかについての情報である。これら関連度値領域１０ｇ及びメタデータ更新日領域１０ｈに記述される内容は、メタデータ更新部２ｂにより作成／更新される。
【００２７】
なお、図２において、音楽ファイル１０の先頭には、この音楽ファイル１０を特定するためのＩＤが記述されたＩＤ領域１０ｉが設けられている。また、図２の例では、音楽メタデータ１０ａには６つの領域１０ｃ〜１０ｈが設けられていたが、本実施形態においては、リリース年月日領域１０ｆ、関連度値領域１０ｇ及びメタデータ更新日領域１０ｈ以外の領域は任意であり、これ以上、あるいはこれ以下の数の領域が設けられてよい。
【００２８】
さらに、図３は、本実施形態の情報処理装置１のＲＡＭ４内に格納されている画像ファイル１１のデータ構造の一例を示す図である。既に説明したように、本実施形態の画像ファイル１１は画像メタデータ１１ａを備えている。より詳細には、画像ファイル１１は画像データ１１ｂの先頭にまたは末尾（図３に示す例では先頭）に設けられた管理領域に画像メタデータ１１ａが記述されている。このようなデータ構造を有する画像ファイル１１は既知であり、例えばＪＰＥＧ（Joint Photographic Experts Group）等において用いられるＥｘｉｆ（Exchangeable image file format）などがある。
【００２９】
図３において、画像メタデータ１１ａは、画像ファイル１１ｂの撮影日付が記述される撮影日付領域１１ｃ及び画像ファイル１１ｂが撮影された時点における、画像ファイル１１を生成したデジタルカメラ等の撮影機器が所在する位置のＧＰＳ情報が記述されるＧＰＳ情報領域１１ｄを備える。
【００３０】
なお、図３において、画像ファイル１１の先頭には、この画像ファイル１１を特定するためのＩＤが記述されたＩＤ領域１１ｅが設けられている。また、図３の例では、画像メタデータ１１ａには２つの領域１１ｃ〜１１ｄが設けられていたが、本実施形態においては、撮影日付領域１１ｃ以外の領域は任意であり、これ以上、あるいはこれ以下の数の領域が設けられてよい。
【００３１】
（日付ファイルのデータ構造）
次に、図４は、本実施形態の情報処理装置１のＲＡＭ４内に格納されている日付ファイル１２のデータ構造の一例を示す図である。図４に示す日付ファイル１２は、後述する音楽ファイル１０の取り込み、再生動作に伴って生成／更新され、その取り込み等がされた日付毎に新たな日付ファイル１２が生成されるものであり、音楽ファイル１０の音楽メタデータ１０ａ及び画像ファイル１１の画像メタデータ１１ａと同様のメタデータである。
【００３２】
図４において、日付ファイル１２は、音楽ファイル１０が再生された日付、または音楽ファイル１０の音楽データ１０ｂのリリース年月日を示す日付が記載される日付領域１２ａと、取り込みまたは再生がされた音楽ファイル１０のＩＤ（その音楽ファイル１０のＩＤ領域１０ｈに記載されるＩＤに対応するＩＤ）と、日付領域１２ａに記載された日付においてこの音楽ファイル１０が再生されたか、あるいはリリースされたかを示す情報とが記載される音楽ファイル情報領域１２ｂ、１２ｃとを備える。同一の日付において、複数の音楽ファイル１０が再生され、あるいはリリースされた場合は、対応する音楽ファイル１０の数だけ音楽ファイル情報領域１２ｂ、１２ｃが設けられる。図４に示す例では、音楽ファイル領域１２ｂ、１２ｃは２つ設けられているが、この数に限定はない。なお、以下の説明において、複数の音楽ファイル情報領域１２ｂ、１２ｃについて言及する場合でも、符号は代表して音楽ファイル情報領域１２ｂについてのみ示す。
【００３３】
（情報処理装置の動作）
次に、図５〜図８のフローチャートを参照して、本実施形態の情報処理装置の動作について説明する。
【００３４】
図５は、音楽ファイル取り込み動作を説明するためのフローチャートである。まず、ステップＳ１において、情報処理装置１に音楽ファイル１０の取り込みが指示される。音楽ファイル１０取り込み指示は、例えばユーザが入力機器１３を操作することで開始してもよく、あるいは、ＵＳＢインターフェース５ｃのＵＳＢコネクタにＵＳＢ機器１５が接続され、情報処理装置１がＵＳＢ機器１５の接続を認識したことにより開始してもよい。情報処理装置１に音楽ファイル１０の取り込み指示がされると、ＣＰＵ２は、入力部５のカードインターフェース５ｂのカードスロットに挿入されたメモリーカード１４、ＵＳＢインターフェース５ｃのＵＳＢコネクタに接続されたＵＳＢ機器１５から音楽ファイル１０を取り込み、これをＲＡＭ４に格納する。あるいは、ネットワークインターフェース７を介して外部ネットワークから音楽ファイル１０を取得してもよい。
【００３５】
次に、ステップＳ２において、ＣＰＵ２のメタデータ更新部２ｂは、取り込まれた音楽ファイル１０の音楽メタデータ１０ａを解析する。具体的には、本実施形態では、メタデータ更新部２ｂは、音楽メタデータ１０ａのうちリリース年月日領域１０ｆに記述された音楽データ１０ｂのリリース年月日データを取得する。
【００３６】
そして、ステップＳ３において、メタデータ更新部２ｂは、ステップＳ１において取り込まれた音楽ファイル１０の音楽メタデータ１０ａに基づいて、日付ファイル１２を作成／更新する。具体的には、本実施形態では、メタデータ更新部２ｂは、音楽メタデータ１０ａのリリース年月日領域１０ｆに記載されたリリース年月日と同一の日付が日付領域１２ａに記載された日付ファイル１２を検索し、リリース年月日領域１０ｆに記載されたリリース年月日と同一の日付が日付領域１２ａに記載された日付ファイル１２が既に存在する場合は、その日付ファイル１２の音楽ファイル情報領域１２ｂに、この音楽データ１０のＩＤと、日付領域１２ａに記載された日付にこの音楽ファイル１０がリリースされたことを示す情報とを記載する。一方、リリース年月日領域１０ｆに記載されたリリース年月日と同一の日付が日付領域１２ａに記載された日付ファイル１２が存在しない場合は、新しく日付ファイル１２を生成し、この日付ファイル１２の日付領域１２ａに、音楽メタデータ１０ａのリリース年月日領域１０ｆに記載されたリリース年月日と同一の日付を記載するとともに、その日付ファイル１２の音楽ファイル情報領域１２ｂに、この音楽データ１０のＩＤと、日付領域１２ａに記載された日付にこの音楽ファイル１０がリリースされたことを示す情報とを記載する。
【００３７】
図６は、画像ファイル取り込み動作を説明するためのフローチャートである。まず、ステップＳ１１において、情報処理装置１に画像ファイル１１の取り込みが指示される。画像ファイル１１取り込み指示は、例えばユーザが入力機器１３を操作することで開始してもよく、あるいは、ＵＳＢインターフェース５ｃのＵＳＢコネクタにＵＳＢ機器１５が接続され、情報処理装置１がＵＳＢ機器１５の接続を認識したことにより開始してもよい。情報処理装置１に画像ファイル１１の取り込み指示がされると、ＣＰＵ２は、入力部５のカードインターフェース５ｂのカードスロットに挿入されたメモリーカード１４、ＵＳＢインターフェース５ｃのＵＳＢコネクタに接続されたＵＳＢ機器１５から画像ファイル１１を取り込み、これをＲＡＭ４に格納する。あるいは、ネットワークインターフェース７を介して外部ネットワークから画像ファイル１１を取得してもよい。
【００３８】
次に、ステップＳ１２において、ＣＰＵ２のメタデータ更新部２ｂは、取り込まれた画像ファイル１１の画像メタデータ１１ａを解析する。具体的には、本実施形態では、メタデータ更新部２ｂは、画像メタデータ１１ａのうち撮影日付領域１１ｃに記述された画像ファイル１１の撮影日付データを取得する。
【００３９】
次に、ステップＳ１３において、メタデータ更新部２ｂは、ステップＳ１２において取得した画像ファイル１１の撮影日データを検索条件として、日付ファイル１２を検索し、この検索結果に基づいて音楽ファイル１０と画像ファイル１１との関連付けが行えるかどうかを検討する。具体的には、本実施形態では、メタデータ更新部２ｂは、日付ファイル１２の日付領域１２ａに記載された日付データを取得し、画像ファイル１１の撮影日付と日付ファイル１２の日付とを比較して、これら撮影日付及び日付が近接する日付ファイル１２を抽出する。ここで、「近接」とは、撮影日付と日付とが一致する場合、一定の期間内に撮影日付と日付とが共に存在する場合、撮影日付の月と日付の月とが一致する場合、撮影日付の年と日付の年とが一致する場合などを含む。
【００４０】
そして、ステップＳ１４において、ステップＳ１３による検索の結果、画像ファイル１１の撮影日付に近接する日付を有する日付ファイル１２が存在したかどうかを判定し、存在した場合（ステップＳ１４においてＹＥＳ）はステップＳ１５に進み、存在しなかった場合（ステップＳ１４においてＮＯ）は図６のフローチャートに示す動作を終了する。
【００４１】
そして、ステップＳ１５において、メタデータ更新部２ｂは、ステップＳ１３において検索された日付ファイル１２の音楽ファイル情報領域１２ｂに記載されたＩＤを有する音楽ファイル１０の音楽メタデータ１０ａを作成／更新する。具体的には、本実施形態では、メタデータ更新部２ｂは、検索された日付ファイル１２の音楽ファイル情報領域１２ｂに記載された音楽データ１０のＩＤを参照して音楽データ１０を検索し、この音楽データ１０の音楽メタデータ１０ａの関連度値領域１０ｇに、ステップＳ１１において取り込まれた画像ファイル１１のＩＤとともに画像ファイル１１毎の関連度値を記述する。さらに、メタデータ更新部２ｂは、関連度値が更新された画像ファイル１１について、その更新日及び更新の態様（ここではリリース年月日と撮影年月日との近接、またはリリース年月日と再生日付との近接）をメタデータ更新日領域１０ｈに記述する。
【００４２】
ここに、日付ファイル１２が作成／更新される契機は、音楽データ１０の取り込みまたは再生であり、取り込みの際に作成／更新される日付ファイル１２は、音楽データ１０のリリース年月日に基づくものである。ユーザにとって、リリース年月日は自身の思い入れがかなり高いことが予想され、しかも、撮影日と近接する可能性は低いので、リリース年月日と撮影日付とが近接する場合の関連度値は例えば「１０」なる値に設定される。一方、音楽データ１０の再生日はユーザの嗜好に基づくものであり、リリース年月日と撮影日との近接の可能性よりは近接する可能性が高いものの、ユーザの嗜好を尊重する観点から、リリース年月日との一致よりも低い値であるが、十分高い関連度値である「５」なる値に設定される。
【００４３】
次に、図７は音楽ファイル手動再生動作を説明するためのフローチャートである。まず、ステップＳ２１において、情報処理装置１に音楽ファイル１０の再生が指示される。音楽ファイル１０の再生は、例えばユーザが入力機器１３を操作することで開始される。音楽ファイル１０の再生指示方法について限定はなく、例えば、情報処理装置１がＨＤＭＩインターフェース６を介してＨＤＭＩ出力機器１６に音楽ファイル１０のリスト画面またはアイコン画面を表示させ、入力機器１３によりユーザが再生を希望する音楽ファイル１０を選択指示させるような方法が挙げられる。そして、ステップＳ２２において、ＣＰＵ２の音楽・画像再生部２ａは、ステップＳ２１において再生指示がされた音楽ファイル１０を再生する。
【００４４】
次に、ステップＳ２３において、ステップＳ２１において再生指示された音楽ファイル１０との同時再生をユーザが希望する、画像ファイル１１の再生が情報処理装置１に指示される。画像ファイル１１の再生は、音楽ファイル１０の再生と同様に、例えばユーザが入力機器１３を操作することで開始される。画像ファイル１１の再生指示方法についても限定はなく、例えば、情報処理装置１がＨＤＭＩインターフェース６を介してＨＤＭＩ出力機器１６に画像ファイル１１のリスト画面またはアイコン画面を表示させ、入力機器１３によりユーザが再生を希望する画像ファイル１１を選択指示させるような方法が挙げられる。なお、ステップＳ２３において、複数の画像ファイル１１が選択されてもよい。そして、ステップＳ２４において、ＣＰＵ２の音楽・画像再生部２ａは、ステップＳ２３で再生指示がされた画像ファイル１１を再生する。
【００４５】
これら音楽ファイル１０及び画像ファイル１１は、例えば、音楽・画像再生部２ａがＨＤＭＩインターフェース６を介してＨＤＭＩ出力機器１６にＡＶストリームを送出することで、このＨＤＭＩ出力機器１６において再生される。音楽ファイル１０の再生及び画像ファイル１１の再生の態様には限定はなく、例えば、ユーザが希望するタイミングで画像ファイル１１を切り替えて再生してもよく、あるいは、ユーザが任意で選択した複数の画像ファイル１１を一定時間毎に再生タイミングを一部重複させながら再生する、いわゆるスライドショー機能を実現してもよい。このような演出効果については特段の限定はない。
【００４６】
そして、ステップＳ２５において、メタデータ更新部２ｂは、ステップＳ２２において再生された音楽ファイル１０の音楽メタデータ１０ａを作成／更新する。具体的には、本実施形態では、メタデータ更新部２ｂは、音楽メタデータ１０ａの関連度値領域１０ｇに、ステップＳ２４において再生された画像ファイル１１に係る関連度値を記述する。このステップＳ２５において記載される関連度値は、ユーザが個別指定した音楽ファイル１０及び画像ファイル１１が互いに関連づけられたことに基づくものであり、ユーザが特定の音楽ファイル１０及び画像ファイル１１を指定して再生し続けると関連度値が大幅に上昇してしまうので、例えば「１」といった、ステップＳ１５において加算される関連度値よりも低い値とされる。また、メタデータ更新部２ｂは、関連度値が更新された画像ファイル１１について、その更新日及び更新の態様（ここでは音楽ファイルと画像ファイルとの同時再生）をメタデータ更新日領域１０ｈに記述する。
【００４７】
さらに、メタデータ更新部２ｂは、説明を省略したＣＰＵ２の内部タイマーから現在の日付を取得し、あるいは、ネットワークインターフェース７を介して外部ネットワークから現在の日付を取得し、この日付が日付領域１２ａに記載された日付ファイル１２を検索し、検索の結果、現在の日付が日付領域１２ａに記載された日付ファイル１２があればこれを抽出し、なければ新たに作成する。そして、検索の結果抽出／作成された日付ファイル１２において、日付領域１２ａに日付の記載がなければ現在の日付を記載し、そして、音楽ファイル情報領域１２ｂに、ステップＳ２１において選択され、ステップＳ２２において再生された音楽ファイル１０のＩＤとともに再生されたことを示す情報を記載する。
【００４８】
次に、図８は音楽ファイル自動再生動作を説明するためのフローチャートである。まず、ステップＳ３１において、情報処理装置１に音楽ファイル１０の再生が指示される。音楽ファイル１０の再生は、例えばユーザが入力機器１３を操作することで開始される。音楽ファイル１０の再生指示方法について限定はなく、例えば、情報処理装置１がＨＤＭＩインターフェース６を介してＨＤＭＩ出力機器１６に音楽ファイル１０のリスト画面またはアイコン画面を表示させ、入力機器１３によりユーザが再生を希望する音楽ファイル１０を選択指示させるような方法が挙げられる。
【００４９】
次に、ステップＳ３２において、ＣＰＵ２のメタデータ更新部２ｂは、選択された音楽ファイル１０の音楽メタデータ１０ａを解析する。具体的には、本実施形態では、メタデータ更新部２ｂは、音楽メタデータ１０ａのうち関連度値領域１０ｇに記述された画像ファイル１１毎の関連度値を取得する。そして、ＣＰＵ２のメタデータ更新部２ｂは、関連度値領域１０ｇに記述された関連度値をキーとして、この関連度値に関する、より正確には、関連度値に記載されたＩＤを有する画像ファイル１１を検索する。
【００５０】
あるいは、ＣＰＵ２のメタデータ更新部２ｂは、説明を省略したＣＰＵ２の内部タイマーから現在の日付を取得し、あるいは、ネットワークインターフェース７を介して外部ネットワークから現在の日付を取得し、次いで、画像ファイル１１の画像メタデータ１１ａのうち撮影日付領域１１ｃに記述された画像ファイル１１の撮影日付データを取得し、画像ファイル１１の撮影日付と現在の日付とを比較して、これら撮影日付及び現在の日付とが近接する画像ファイル１１を抽出する。ここで、「近接」とは、撮影日付と現在の日付とが一致する場合、一定の期間内に撮影日付と現在の日付とが共に存在する場合、撮影日付の月と現在の日付の月とが一致する場合、撮影日付の年と現在の日付の年が一致する場合などを含む。
【００５１】
なお、ステップＳ３２において、関連度値に基づく画像ファイル１１の検索、及び現在の日付に基づく画像ファイル１１の抽出は同時に行われてもよく、また、いずれか一方のみ行ってもよい。
【００５２】
次に、ステップＳ３３において、ＣＰＵ２の音楽・画像再生部２ａは、ステップＳ３１において再生指示がされた音楽ファイル１０を再生するとともに、ステップＳ３４において、ステップＳ３２で検索がされた画像ファイル１１を表示する。これら音楽ファイル１０及び画像ファイル１１は、例えば、音楽・画像再生部２ａがＨＤＭＩインターフェース６を介してＨＤＭＩ出力機器１６にＡＶストリームを送出することで、このＨＤＭＩ出力機器１６において再生される。音楽ファイル１０の再生及び画像ファイル１１の再生の態様には限定はなく、例えば、一定時間毎に１つの画像ファイル１１を切り替えて再生してもよく、あるいは、複数の画像ファイル１１を再生タイミングを一部重複させながら再生してもよい。このような演出効果については特段の限定はない。このステップＳ３３及びＳ３４の動作により、いわゆるスライドショー機能が実現される。なお、音楽ファイル１０は、後述するユーザからのスライドショー機能終了指示があるまで繰り返し再生される。
【００５３】
ここに、画像ファイル１１の再生は、再生指示された音楽ファイル１０の音楽メタデータ１０ａのうち関連度値領域１０ｇに関連度値の記述がある全ての画像ファイル１１を再生してもよく、あるいは、関連度値が高い順、低い順に順次画像ファイル１１を再生してもよい。加えて、関連度値が高い順、低い順に並べて上位／下位から一定数の画像ファイル１１のみ再生してもよい。
【００５４】
図９は、ステップＳ３３及びＳ３４において実行される音楽ファイル１０及び画像ファイル１１の再生動作の概略を説明するための図である。図９において、再生指示されたID_Aの音楽ファイル１０の音楽メタデータ１０ａの関連度値領域１０ｇには、ID_A〜ID_Cの画像ファイル１１についての関連度値が記述されている。図９に示す例では、関連度値領域１０ｇに関連度値の記述がある画像ファイル１１を全て再生し、かつ、関連度値の高い順に画像ファイルを再生する。すなわち、ID_Aの音楽ファイル１０が再生されている間、ID_B、ID_C、ID_Aの順に画像ファイル１１が再生される。
【００５５】
次に、ステップＳ３５において、ユーザからスライドショー機能の終了が指示されたか否かが判定され、終了が指示された場合（ステップＳ３５においてＹＥＳ）はステップＳ３６に移行し、終了が指示されていない場合（ステップＳ３５においてＮＯ）はステップＳ３３に戻り、スライドショー機能を引き続き実行する。スライドショー機能終了の指示は、例えば、ユーザが入力機器１３を操作することで行われる。
【００５６】
そして、ステップＳ３６において、メタデータ更新部２ｂは、説明を省略したＣＰＵ２の内部タイマーから現在の日付を取得し、あるいは、ネットワークインターフェース７を介して外部ネットワークから現在の日付を取得し、この日付が日付領域１２ａに記載された日付ファイル１２を検索し、検索の結果、現在の日付が日付領域１２ａに記載された日付ファイル１２があればこれを抽出し、なければ新たに作成する。そして、検索の結果抽出／作成された日付ファイル１２において、日付領域１２ａに日付の記載がなければ現在の日付を記載し、そして、音楽ファイル情報領域１２ｂに、ステップＳ３１において選択され、ステップＳ３３において再生された音楽ファイル１０のＩＤとともに再生されたことを示す情報を記載する。
【００５７】
以上詳細に説明したように、本実施形態の情報処理装置１においては、音楽ファイル１０または画像ファイル１１が操作されることをトリガに、音楽メタデータ１０ａの関連度値領域１０ｇの記述が適宜作成／更新されるので、この関連度値領域１０ｇに記述された関連度値に基づいて音楽ファイル１０及び画像ファイル１１を再生することで、音楽ファイル１０または画像ファイル１１の操作を反映したスライドショー機能が実現できる。これにより、スライドショー機能を実行するユーザの嗜好や行動を反映したスライドショー機能を実現することが可能になる。
【００５８】
（第２の実施形態）
図１０は、本発明の第２の実施形態である情報処理装置の動作を説明するための図であり、より詳しくは、情報処理装置の音楽メタデータ更新動作を説明するためのフローチャートである。本実施形態の情報処理装置の構成は上述した第１の実施形態の情報処理装置１と略同一であり、第２の実施形態の情報処理装置は第１の情報処理装置１に加えて、図１０に示す動作を行うことのみが異なる。従って、同一の構成要素については同一の符号を付し、その説明を簡略化する。
【００５９】
図１０のフローチャートに説明する音楽メタデータ更新動作は、所定期間毎に起動される。この図１０において、ステップＳ４１では、ＣＰＵ２のメタデータ更新部２ｂは、説明を省略したＣＰＵ２の内部タイマーから現在の日付を取得し、あるいは、ネットワークインターフェース７を介して外部ネットワークから現在の日付を取得する。次いで、ステップＳ４２において、メタデータ更新部２ｂは、音楽ファイル１０の音楽メタデータ１０ａのうちメタデータ更新日領域１０ｈに記述された画像ファイル１１毎のメタデータ更新日を検索する。
【００６０】
次いで、ステップＳ４３において、メタデータ更新部２ｂは、ステップＳ４２において検索された、メタデータ更新日領域１０ｈに記述された画像ファイル１１毎のメタデータ更新日のうち、同様にメタデータ更新日領域１０ｈに記述された更新の態様が音楽ファイルと画像ファイルとの同時再生であるメタデータ更新日と、ステップＳ４１において取得された現在の日付とを比較し、現在の日付からメタデータ更新日を減算した値を算出する。次いで、ステップＳ４４において、ステップＳ４３にて算出した値が所定値より大きい（例えば１ヶ月）かどうかを判定する。その結果、現在の日付からメタデータ更新日を減算した値が所定値より大きい（ステップＳ４４においてＹＥＳ）場合はステップＳ４５に移行し、現在の日付からメタデータ更新日を減算した値が所定値以下である（ステップＳ４４においてＮＯ）場合はステップＳ４６に移行する。
【００６１】
ステップＳ４５においては、現在の日付からメタデータ更新日を減算した値が所定値より大きい画像ファイル１１に係る音楽メタデータ１０ａの関連度値領域１０ｇに記述された関連度値を一定値（例えば１）減算して記述する。ステップＳ４６においては、全ての画像ファイル１１に係るメタデータ更新日についてステップＳ４４による判定が行われたどうかが判定され、全ての画像ファイル１１に係るメタデータ更新日についてステップＳ４４による判定が行われた（ステップＳ４６においてＹＥＳ）場合は図１０のフローチャートに示す動作を終了し、全ての画像ファイル１１に係るメタデータ更新日についてステップＳ４４による判定が行われていない場合（ステップＳ４６においてＮＯ）は、ステップＳ４３に戻って、別の画像ファイル１１に係るメタデータ更新日について判定を行う。
【００６２】
以上詳細に説明したように、本実施形態の情報処理装置によれば、更新の態様が音楽ファイル１０と画像ファイル１１との同時再生である音楽ファイル１０について、現在の日付からメタデータ更新日を減算した値が所定値より大きい、すなわち、音楽ファイル１０と画像ファイル１１との同時再生によりメタデータが更新されてから所定期間を経過した関連度値に係る画像ファイル１１については、この関連度値が一定値減算される。これにより、長期間関連度値が更新されていない、すなわち再生されていない画像ファイル１１についてはその関連度値を減算することができ、よりユーザの嗜好を反映したスライドショー機能を実現することができる。
【００６３】
つまり、上記第１の実施形態で説明したように、音楽ファイル手動再生によっても関連度値は加算されてゆくので、音楽ファイル手動再生を多数回実行すると、撮影日付とリリース年月日とが近接する、あるいは撮影日付と現在の日付とが近接することによる音楽ファイル１０と画像ファイル１１との関連付けが薄くなり、多数回音楽ファイル手動再生を実行したことによる音楽ファイル１０と画像ファイル１１との関連付けが優先されてしまう。ユーザとしては、画像ファイル１１の撮影日付に関する思い入れを強く持っていることが予想されるので、多数回音楽ファイル手動再生を実行することによる音楽ファイル１０と画像ファイル１１との関連付けよりも、撮影日付とリリース年月日とが近接する、あるいは撮影日付と現在の日付とが近接することによる音楽ファイル１０と画像ファイル１１との関連付けを優先することが、ユーザの嗜好に叶っていると考えられる。
【００６４】
（変形例）
なお、本発明の情報処理装置は、その詳細が上述した各実施形態に限定されず、種々の変形例が可能である。
一例として、上述の各実施形態では、音楽ファイル１０及び画像ファイル１１はＲＡＭ４内に格納されていたが、これに限定されず、例えばＨＤＤ等の大容量記憶媒体８内に格納されてもよく、さらには、情報処理装置１にＵＳＢインターフェース５ｃを介して接続されるＵＳＢ機器１５であるＵＳＢ  ＨＤＤなどの外部記憶装置に格納されてもよい。また、上述の各実施形態では、ＨＤＭＩインターフェース６を介してＨＤＭＩ出力機器１６に画像及び音声出力をしていたが、これに限定されず、一例として、画像出力についてはコンポジット出力インターフェース、コンポーネント出力インターフェースを介して出力し、音声出力についてはアナログ音声出力インターフェースを介して出力するなど、他の周知の画像、音声出力インターフェース及び出力端子を用いることも可能である。当然、画像表示装置及び音声出力装置を情報処理装置内に備えるとしてもよい。
【００６５】
また、上述の各実施形態では、音楽ファイル１０の音楽メタデータ１０ａのうち、関連度値領域１０ｇ及びメタデータ更新日領域１０ｈ以外の領域については既に記述されているものとして説明をしたが、図５に示す音楽ファイル取り込み動作時、詳細にはステップＳ１１における音楽ファイル取り込み指示によって取り込まれた時点では音楽メタデータ１０ａに何も記述されておらず、その後、関連度値領域１０ｇ及びメタデータ更新日領域１０ｈ以外の領域についての記述がされてもよい。具体的には、関連度値領域１０ｇ及びメタデータ更新日領域１０ｈ以外の領域についての記述は、ユーザが入力機器１３を用いて行ってもよく、あるいは、音楽データ１０ｂの特徴量に基づいて、外部ネットワーク上にあるデータベースを検索し、このデータベースから記述すべきデータを取得してもよい。特に、音楽ファイル１０がＣＤ（Compact Disc）から取り込まれる場合、このＣＤのＴＯＣ（Table Of Contents）はＣＤ毎にほぼ一意的に定まるので、このＴＯＣを用いて外部ネットワークにあるデータベースを検索し、このデータベースから記述すべきデータを取得してもよい。
【００６６】
なお、ＴＯＣを用いて外部ネットワークにあるデータベースを検索し、このデータベースから記述すべきデータを取得した場合等において、リリース年月日領域１０ｆに記述されるリリース年月日は単にリリース年であることもある。この場合は、撮影日付または現在の日付との「近接」は単純に年単位での近接を意味する。
【００６７】
また、図２及び図３に示す音楽ファイル１０及び画像ファイル１１のデータ構造において、音楽メタデータ１０ａのうち関連度値領域１０ｇ及びメタデータ更新日領域１０ｈ以外の領域、及び画像メタデータ１１ａのうち撮影日付領域１１ｃ以外の領域については、図２及び図３に示した例に限定されず、音楽ファイル１０及び画像ファイル１１の再生及び管理に必要なメタデータ領域が設けられてよい。あるいは、図２及び図３に示した音楽メタデータ１０ａ及び画像メタデータ１１ａのうち、関連度値領域１０ｇ、メタデータ更新日領域１０ｈ及び撮影日付領域１１ｃ以外の領域については、図２及び図３に示した例より少ない領域が設けられてもよい。
【００６８】
さらに、図１０に示した音楽メタデータ更新動作において、上述した実施形態では定期的に音楽メタデータ更新動作が実行されていたが、例えば図４〜図６に示すような音楽メタデータ１０ａの作成／更新があったことをトリガとして、現在の日付から更新日データが一定期間経過している関連度値を一定値減算する、あるいは、メタデータ更新日領域１０ｈに記述された更新日データを新しいまたは古い順に配列し、更新日データが古い所定個の関連度値を一定値減算してもよい。所定期間毎に音楽メタデータ更新動作が実行されると、暫く情報処理装置１によって音楽ファイル手動再生を実行しないと、音楽メタデータ更新動作により一律に関連度値が減少される可能性があるため、実際に音楽ファイル１０または画像ファイル１１が操作されたことのみをトリガとすることのメリットはある。さらに、図１０に示した音楽メタデータ更新動作においても、所定期間毎にメタデータ更新日領域１０ｈに記述された更新日データを新しいまたは古い順に配列し、更新日データが古い所定個の関連度値を一定値減算してもよい。
【００６９】
なお、上述の各実施形態においては、情報処理装置１はＲＯＭ３内に格納されたプログラムが実行することにより各種機能が実現される構成であったが、かかるプログラムはＤＶＤ（Digital Versatile Disc）、ＣＤ−ＲＯＭ、ＵＳＢ等の記録媒体に格納され、あるいは外部ネットワーク上にある記憶媒体に格納され、必要に応じてプログラムが情報処理装置１に読み込まれて実行される構成であってもよい。
【符号の説明】
【００７０】
１    情報処理装置
２    ＣＰＵ
２ａ  音楽・画像再生部
２ｂ  メタデータ更新部
３    ＲＯＭ
４    ＲＡＭ
５    入力部
５ａ  入力インターフェース
５ｂ  カードインターフェース
５ｃ  ＵＳＢインターフェース
６    ＨＤＭＩインターフェース
７    ネットワークインターフェース
１０    音楽ファイル
１０ａ  音楽メタデータ
１０ｂ  音楽データ
１０ｃ  タイトル領域
１０ｄ  アーティスト領域
１０ｅ  アルバム領域
１０ｆ  リリース年月日領域
１０ｇ  関連度値領域
１０ｈ  メタデータ更新日領域
１０ｉ  ＩＤ領域
１１    画像ファイル
１１ａ  画像メタデータ
１１ｂ  画像データ
１１ｃ  撮影日付領域
１１ｄ  ＧＰＳ情報領域
１１ｅ  ＩＤ領域
１２    日付ファイル
１３    入力機器
１４    メモリーカード
１５    ＵＳＢ機器
１６    ＨＤＭＩ出力機器
１７    ルータ
１８    ＷＡＮ
【図１】
2014003388.tif 000003
【図２】
2014003388.tif 000004
【図３】
2014003388.tif 000005
【図４】
2014003388.tif 000006
【図５】
2014003388.tif 000007
【図６】
2014003388.tif 000008
【図７】
2014003388.tif 000009
【図８】
2014003388.tif 000010
【図９】
2014003388.tif 000011
【図１０】
2014003388.tif 000012